(57)【要約】【課題】防水層に貫通穴を形成することなく、防風ネット等の設置物を防水層上に良好に固定する。【解決手段】防水を行う屋上スラブ等の建物の躯体コンクリート１０にアンカー部材１６を設置し、このアンカー部材１６の上方にこれを覆うように新たな防水層１４を新設して、その新たな防水層１４の上に、防風ネット２８等を固定するための固定用部材２０を設置する。アンカー部材１６と新設の防水層１４との間には、両者を接合するシート状部材１８が介設されている。固定用部材２０はシート状部材２２により防水シート１５に固定されている。【選択図】      図１
2005016020.tif 000002
【特許請求の範囲】
【請求項１】
屋上スラブ等の防水対象部にアンカー部材を打設し、前記防水対象部に前記アンカー部材を覆うように防水シートを接合し、前記防水シート上の前記アンカー部材に対応する位置に、設置物の固定に用いる固定用部材を接合してなることを特徴とする防水層への設置物固定用部材の定着構造。
【請求項２】
前記アンカー部材と前記防水シートとの間にシート状部材を介設したことを特徴とする請求項１に記載の定着構造。
【請求項３】
前記防水シート及び前記シート状部材のうちの少なくとも一方が繊維強化樹脂により形成されたことを特徴とする請求項２に記載の定着構造。
【請求項４】
前記防水シート及び前記シート状部材のうちの少なくとも一方が光硬化型樹脂により形成されたことを特徴とする請求項２または３に記載の定着構造。
【請求項５】
前記防水シートの上に緑化基盤が設けられており、前記固定用部材は、前記緑化基盤の土壌の飛散を防止する防風ネットを固定するための部材であることを特徴とする請求項１〜４のいずれか１項に記載の定着構造。
【請求項６】
屋上スラブ等の防水対象部にアンカー部材を打設し、前記防水対象部に前記アンカー部材を覆うように防水シートを接合し、前記防水シート上の前記アンカー部材に対応する位置に、設置物の固定に用いる固定用部材を接合することを特徴とする防水層への設置物固定用部材の定着方法。
【発明の詳細な説明】
【０００１】
【発明の属する技術分野】
本発明は、建物の屋上スラブ等の防水対象部に設けられた防水層の上に、防風ネット等の設置物を定着するための定着構造及び定着方法に関する。
【０００２】
【従来の技術】
最近、都市部におけるヒートアイランド現象を抑制するために、建物の屋上部等に芝などの植物を植生する屋上緑化が行われている。この屋上緑化では、建物の屋上スラブ等に防水シートを敷設して防水層を設けて十分な防水対策を施した上で、その防水層上に土壌を盛土してその土壌に植生を施すことが一般に行われている。ここで盛土される土壌は、建物の屋上部に多大な重量負荷を与えず、また屋上部の重量制限をクリアするために、特殊な軽量土壌を使用したり、またその厚さを例えば１０ｃｍ以下等の薄層にしたりするなどの軽量化が図られている。このため、土壌が強風等による影響を受けやすく、浮き上がる虞があった。特に、建物の屋上部は、地上部に比べて風が強く、風の影響を受け易い。
【０００３】
そこで、従来から、土壌の上側を覆うように防風ネットを設置し、この防風ネットにより土壌の飛散を防止することが提案されている（特許文献１を参照）。防風ネットは、屋上スラブ上に定着されたアンカー部材により屋上スラブ等に固定するようになっていた。
【０００４】
【特許文献１】
特開２００３−３３１１２号公報（第４頁〜第５頁、図３−７）
【０００５】
【発明が解決しようとする課題】
しかしながら、このようなアンカー部材により防風ネットを固定した場合には、アンカー部材を屋上スラブに定着させるために、防水シートに貫通穴を形成しなければならなかった。このため、せっかく防水シートを敷設して防水層を設けたにもかかわらず、防水シートに貫通穴が形成されてしまい、建物内部に雨水等が侵入する虞があった。
一方、防水シートに貫通穴を形成しない方法として、防水シート上に一体的に固定用部材を定着する方法を採り得るが、この場合、防水層と当該防水層の設置部、即ち屋上スラブ等との接合強度が問題となり、固定用部材を確実に固定するのは難しかった。
【０００６】
本発明は、このような事情に鑑みてなされたものであって、その目的は、防水層に貫通穴を形成することなく、防風ネット等の設置物を固定する固定用部材を防水層上に良好に定着することが可能な防水層への設置物固定用部材の定着構造及び定着方法を提供することにある。
【０００７】
【課題を解決するための手段】
このような目的を達成するために本発明に係る防水層への設置物固定用部材の定着構造にあっては、屋上スラブ等の防水対象部にアンカー部材を打設し、前記防水対象部に前記アンカー部材を覆うように防水シートを接合し、前記防水シート上の前記アンカー部材に対応する位置に、設置物の固定に用いる固定用部材を接合してなる構成である。
【０００８】
このような定着構造にあっては、防水対象部に打設されたアンカー部材上に防水シートを介して、設置物を固定するための固定用部材を定着したから、防水シートに貫通穴を形成しなくとも、設置物固定用部材を防水シートを介してアンカー部材により防水対象部に定着させることができる。これにより、建物内部に雨水等が侵入してしまうなどの不具合が発生する虞を回避しつつ、土壌の飛散等を防止するためのネット等を屋上スラブ等に良好に設置することができる。
【０００９】
かかる定着構造にあっては、前記アンカー部材と前記防水シートとの間にシート状部材を介設されていても良い。
【００１０】
また、かかる定着構造にあっては、前記防水シート及び前記シート状部材のうちの少なくとも一方が繊維強化樹脂により形成されていても良い。
【００１１】
また、かかる定着構造にあっては、前記防水シート及び前記シート状部材のうちの少なくとも一方が光硬化型樹脂により形成されていても良い。
【００１２】
また、かかる定着構造にあっては、前記防水シートの上に緑化基盤が設けられており、前記固定用部材は、前記緑化基盤の土壌の飛散を防止する防風ネットを固定するための部材であっても良い。
【００１３】
本発明にかかる防水層への設置物の定着方法にあっては、屋上スラブ等の防水対象部にアンカー部材を打設し、前記防水対象部に前記アンカー部材を覆うように防水シートを接合し、前記防水シート上の前記アンカー部材に対応する位置に、設置物の固定に用いる固定用部材を接合する方法である。
【００１４】
【発明の実施の形態】
以下に本発明の実施の形態について、添付図面を用いて説明する。図１〜図４は、本発明に係る防水層への設置物の定着構造の一実施形態を示したものである。図１は、本実施形態の定着構造の断面図であり、図２は、図１の定着構造で用いられるアンカー部材の一実施形態の斜視図であり、図３及び図４は、図１の定着構造の施工手順の説明図である。なお、ここでは、既設の防水層１２上に新たな防水層１４を設ける、いわゆる防水層のリニューアル工事を例にして説明する。
【００１５】
この定着構造２は、図１に示すように、防水を行うコンクリート１０にアンカー部材１６を打設し、このアンカー部材１６の上方にこれを覆うように新たな防水層１４を設け、その新たな防水層１４の上に、防風ネット２８等を固定するための固定用部材２０を設置する構造である。コンクリート１０は、屋上スラブをはじめとする建物の躯体コンクリートなどである。既設の防水層１２は、建物の竣工時等に設置された古い防水層である。また、本実施形態では、アンカー部材１６と新たな防水層１４との間に、シート状部材１８が介設されている。
【００１６】
アンカー部材１６は、この既設の防水層１２を貫通してコンクリート１０に打設されている。アンカー部材１６は、図２に詳しく示すように、コンクリート１０に埋設された本体部１６ａと、この本体部１６ａの上端部に一体的に形成されたフランジ部１６ｃとを有している。フランジ部１６ｃは、図２に示すように円板形に成形され、コンクリート１０の表面（ここでは既設の防水層１２の表面）に突出して設けられている。このアンカー部材１６は、コンクリート上に例えば１０００ｍｍ等の適宜な間隔をあけて複数設置する。
【００１７】
新たな防水層１４は、既設の防水層１２上に防水シート１５を敷設することにより設けたものである。防水シート１５は、例えば、厚さ１．２ｍｍ〜２．５ｍｍ程度の合成樹脂等の防水性を有する素材により形成された薄いシート状の部材である。防水シート１５は、既設の防水層１２に接合されてコンクリート１０上に固定されている。
【００１８】
本実施形態では、この防水シート１５が、光硬化型樹脂からなる繊維強化樹脂（ＦＲＰ：Ｆｉｂｅｒ  Ｒｅｉｎｆｏｒｃｅｄ  Ｐｌａｓｔｉｃｓ）により形成されている。光硬化型樹脂材について略述すると、光エネルギの作用で液状から固体に変化することを「光硬化」と呼び、光硬化する合成有機材料を光硬化型樹脂と称する。硬化作用を生じさせる光としては、紫外線が一般的に広く用いられている。光硬化型樹脂は、光重合性オリゴマー、光重合性モノマー（反応性希釈剤）、光重合開始剤、光開始助剤、その他の添加剤、また必要に応じて顔料や染料などの着色剤などから構成される。光重合性オリゴマーとしては、ウレタンアクリレート、エポキシアクリレートおよびポリエステルアクリレートなどのアクリレート、不飽和ポリエステル、エポキシ等がある。光重合性モノマーとしては、単官脂アクリレートまたは多官脂アクリレートのアクリレート、エポキシ等がある。光重合開始剤としては、ベンゾイン系、アセトファセトフェノン系、パーオキシド系、並びにオニウム塩などがある。
【００１９】
このような光硬化型樹脂で構成された防水シート１５は、既設の防水層１２上に敷設された後、紫外線が照射されることにより簡単に硬化して、非常に短時間で既設の防水層１２に接着される。
【００２０】
アンカー部材１６と新たな防水層１４との間のシート状部材１８は、アンカー部材１６のフランジ１６ｃを覆うほどの大きさを有し、例えば縦約１００ｍｍ×横約１００ｍｍほどの大きさを有する正方形状に成形される。このシート状部材１８は、防水シート１５を補強すべく介設されたものであり、アンカー部材１６のフランジ部１６ｃと、防水シート１５とにそれぞれ接合されている。シート状部材１８は、各アンカー部材１６に各々対応して配設されている。
【００２１】
さらに、本実施形態では、このシート状部材１８も防水シート１５と同様に、光硬化型樹脂からなる繊維強化樹脂（ＦＲＰ：Ｆｉｂｅｒ  Ｒｅｉｎｆｏｒｃｅｄ  Ｐｌａｓｔｉｃｓ）により形成されている。このため、本実施形態では、紫外線を照射することにより、このシート状部材１８を簡単に硬化させて短時間に施工作業を完了させることができる。また、このシート状部材１８は、アンカー部材１６や防水シート１５とも良好に接合することができ、十分な接合強度を確保することができる。
【００２２】
一方、固定用部材２０は、図１に示すように、アンカー部材１６の上方に設置されて防水シート１５上に立設されている。この固定用部材２０は、防水シート１５に密着したフランジ部２０ｂと、このフランジ部２０ｂの上面中央部から上方へと突き出たロッド部２０ａとを有している。フランジ部２０ｂは、アンカー部材１６のフランジ部１６ｃとほぼ同じ大きさに成形されている。フランジ部２０ｂの上面部には、シート状部材２２が配設され、このシート状部材２２によりフランジ部２２ｂが防水シート１５上に押さえつけられている。これにより、固定用部材２０は、防水シート１５上に固定されている。
【００２３】
本実施形態では、このシート状部材２２も、シート状部材１８や防水シート１５と同様に、光硬化型樹脂からなる繊維強化樹脂（ＦＲＰ：Ｆｉｂｅｒ  Ｒｅｉｎｆｏｒｃｅｄ  Ｐｌａｓｔｉｃｓ）により形成されている。このため、このシート状部材２２を固定用部材２０のフランジ部２０ｂの上側に配置して、紫外線を当てるだけで、シート状部材２２を防水シート１５に接合することができ、施工作業をきわめて短時間で終了させることができる。
【００２４】
防水シート１５上には、土壌２４が盛土され、さらにこの土壌２４の上には芝等の植物２６が植生されて緑化基盤３０が形成される。そして、土壌２４の表面には、同図に示すように、固定用部材２０の上端部２０ｃが突出されて、その上端部２０ｃには、土壌２４の上側を覆うように設置された土壌２４の飛散等を防止するための防風ネット２８等が接続される。
【００２５】
固定用部材２０の下方には、防水シート１５を隔ててアンカー部材１６が設置されているから、防風ネット２８等から固定用部材２０に図中矢印Ａで示すような大きな引張力が働いても、この力は、防水シート１５を介してアンカー部材１６からコンクリート１０へ伝達される。このため、コンクリート１０から十分な反力が得られ、防水シート１５から剥離することなく、その引張力に抵抗することができる。
【００２６】
なお、ここでは、図示していないが、土壌２４と防水シート１５との間には、遮水シートや防根シートなどが、また、土壌２４の内部には、土壌２４全体に給排水を行うための導水シートや排水シート、それに給水管や排水管など、その他、緑化基盤の形成に必要な各種構成要素が設けられても良い。
【００２７】
ただし、本実施形態では、防水シート１５が繊維強化樹脂により形成されているから、防根シートは省いても構わない。これは、繊維強化樹脂により形成された防水シート１５は、相当な強度を有し、耐摩耗性にも優れているため、植物の根により傷つき難く、防根シートとして十分に機能するからである。これにより、施工の手間を軽減して施工コストを削減することができる。また、土壌２４の厚みを薄くすることができ、軽量な緑化基盤を形成して、建物等の構造物への負担を軽減することができる。
【００２８】
次に、この定着構造の施工手順について説明する。この定着構造を施工する場合には、まず、図３（ａ）に示すように、コンクリート１０にアンカー部材１６を打ち込んで設置する。なお、ここでは、コンクリート１０上に設置された既設の防水層１２の上からアンカー部材１６を打ち込む。そして、アンカー部材１６のフランジ部１６ｃは、既設の防水層１２の表面に露出させる。
【００２９】
次に、図３（ｂ）に示すように、アンカー部材１６のフランジ部１６ｃの上側を覆うように既設の防水層１２上にシート状部材１８を設置する。本実施形態では、シート状部材１８が光硬化型樹脂により形成されているから、設置したシート状部材１８に紫外線を照射してシート状部材１８を硬化させて、アンカー部材１６のフランジ部１６ｃ及び既設の防水層１２に接合する。
【００３０】
次に、図３（ｃ）に示すように、既設の防水層１２上にアンカー部材１６及びシート状部材１８を覆うように防水シート１５を敷設して新たな防水層１４を設ける。この防水シート１５についても、本実施形態では、光硬化型樹脂により形成されているから、設置後、防水シート１５に紫外線を照射して、防水シート１５を硬化させて既設の防水層１２及びシート状部材１８に接合する。
【００３１】
このようにしてコンクリート１０上の既設の防水層１２上に新たな防水層１４を設けた後、図４（ｄ）に示すように、防水シート１５上に、固定用部材２０を設置して、そのフランジ部２０ｂを覆うようにシート状部材２２を敷設することにより固定用部材２０を定着する。ここでも、本実施形態では、シート状部材２２が光硬化型樹脂により形成されているから、設置したシート状部材１８に紫外線を照射するだけで、シート状部材１８を防水シート１５に接合することができ、固定用部材２０を簡単に設置することができる。
【００３２】
固定用部材２０の設置終了後、防水シート１５の上方に、図１に示すように土壌２４を盛土して植物２６を植生して緑化基盤を形成し、緑化工事が完了する。
【００３３】
以上本実施形態によれば、コンクリート１０にアンカー部材１６を定着し、このアンカー部材１６の上方にこれを覆うように防水シート１５を設置して、当該防水シート１５上に、アンカー部材１６の設置位置に対応してその上方に固定用部材を設置したから、固定用部材２０にこれに接続された防風ネット２８等から大きな引張力が作用しても、固定用部材が防水シート１５を介してアンカー部材１６によりコンクリート１０に固定されているため、コンクリート１０から十分な反力が得られ、防水シート１５からの剥離を防止することができる。
【００３４】
また、本実施形態では、防水シート１５やシート状部材１８、２２が光硬化型樹脂により形成されているから、紫外線を照射することによりこれらを簡単に硬化させることができ、これにより設置作業を非常に短時間でかつ簡単に済ませることができる。特に固定用部材２０をシート状部材２２により固定することで、簡単に固定用部材２０を設置することができる。
【００３５】
また、本実施形態では、アンカー部材１６と防水シート１５との間に、パッチ状のシート状部材１８を介設しているから、アンカー部材１６と防水シート１５との接合強度を向上させることができ、固定用部材２０をより確実に固定することができる。
【００３６】
なお、本実施形態では、防水シート１５やシート状部材１８、２２が光硬化型樹脂により形成されていたが、本発明にあってはこれに限らず、公知の各種樹脂材料により形成されたり、また樹脂以外に他の素材により形成されても良い。特に、シート状部材１８、２２については、特に防水機能は求められていないから、必ずしも防水性を有する素材により形成される必要はない。なお、防水シート１５やシート状部材１８、２２が光硬化型樹脂により形成されない場合には、接着剤等の公知の接合材により接合すると良い。
【００３７】
また、本実施形態では、アンカー部材１６をコンクリート１０に定着させた後、このアンカー部材１６の上方にこれを覆うようにシート状部材１８を配設していたが、本発明にあってはこれに限らず、アンカー部材１６の設置位置にあらかじめシート状部材１８を配置し、その配置されたシート状部材１８を貫通するようにアンカー部材１６をコンクリート１０に打ち込んで配置しても良い。
【００３８】
また、本実施形態では、アンカー部材１６として、図２に示すような円板形のフランジ部１６ｃを有するアンカー部材を用いたが、本発明にあってはこれに限らず、フランジ部１６ｃが円板形以外に他の形状に成形されていても良い。例えば、アンカー部材１６がＬ字形やＴ字形等に成形されていても良く、さらにはフランジ部１６ｃを有さず、単なる棒状に成形されていても構わない。
【００３９】
次に本発明に係る定着構造の他の実施の形態について説明する。図５は、本発明に係る定着構造の他の実施の形態を示したものである。この実施の形態では、同図に示すように、コンクリート１０上に保護コンクリート４０が設置されている場合を示したものである。既設の防水層１２は、コンクリート１０と保護コンクリート４０との間に介設されている。このような場合、アンカー部材１６は、保護コンクリート４０を貫通してコンクリート１０に到達するように打ち込む。新たな防水層１４は、保護コンクリート４０の上に、アンカー部材１６を覆うように防水シート１５を敷設して設置する。この防水シート１５よりも上方の構成は、図１に示した構成と同じである。
【００４０】
このようにコンクリート１０上に保護コンクリート４０が設置されている場合においても、本発明に係る定着構造を適用することができる。
【００４１】
なお、前述した２つの実施形態では、既設の防水層１２上に新たな防水層１４を設ける防水層のリニューアル工事を例にして説明したが、本発明にあってはこのようなリニューアル工事に限らず、防水層が全く一切設けられておらず、新規に設けるような場合、例えば建物の新築工事等においても適用しても構わない。
【００４２】
【発明の効果】
本発明によれば、固定用部材を防水層を貫通することなく固定することができる。
【図面の簡単な説明】
【図１】本発明に係る防水層への設置物固定用部材の定着構造の一実施形態を示す断面図である。
【図２】本発明に係る防水層への設置物固定用部材の定着構造で用いられるアンカー部材の一実施形態を示す斜視図である。
【図３】本発明に係る防水層への設置物固定用部材の定着構造の施工手順の一例を説明する図である。
【図４】本発明に係る防水層への設置物固定用部材の定着構造の施工手順の一例を説明する図である。
【図５】本発明に係る防水層への設置物固定用部材の定着構造の他の実施形態を示す断面図である。
【符号の説明】
２  定着構造
１０  コンクリート
１２  防水層（既設）
１４  防水層（新規）
１６  アンカー部材
１８  シート状部材
２０  固定用部材
２２  シート状部材
２４  土壌
２６  植物
２８  防風ネット
３０  緑化基盤
４０  保護コンクリート
【図１】
2005016020.tif 000003
【図２】
2005016020.tif 000004
【図３】
2005016020.tif 000005
【図４】
2005016020.tif 000006
【図５】
2005016020.tif 000007